(57)【特許請求の範囲】
【請求項１】
スピーカーが取り付けられたスピーカーボックスに、該スピーカーボックスの一部を変形自在にさせて該スピーカーボックスの容積を可変させる容積可変手段が設けられており、
前記スピーカーボックスは、前記スピーカーを収納可能な薄板状に形成されていると共に、
前記容積可変手段は、
前記スピーカーボックスの背面から出没可能に係合され、底面を外側に配置させたカップ状部材と、
前記カップ状部材を前記スピーカーボックスの背面から出没させるモーター駆動機構とを備えてなることを特徴とするスピーカー装置。
【請求項２】
前記カップ状部材は、前記スピーカーボックスに対して回動を抑止させるように取り付けられると共に該カップ状部材の外面に係止爪を備え、
前記モーター駆動機構は、
前記係止爪と係合される円筒溝カムが設けられ、前記スピーカーの背面側に設けられた筒状部材と、
前記筒状部材を回動させるモータ部とを備えてなることを特徴とする請求項１記載のスピーカー装置。
【請求項３】
前記スピーカーボックスに、外部と連通するバスレフ孔が設けられ、
前記容積可変手段は、前記スピーカーボックスの容積を最小にさせた状態時に前記バスレフ孔の連通を遮断させるシャッター機構を備えていることを特徴とする請求項１または２記載のスピーカー装置。
【請求項４】
前記バスレフ孔は、前記筒状部材の外面に接するように形成されると共に、該バスレフ孔の位置と対応するように前記筒状部材の側面に連通孔が設けられてなり、
前記シャッター機構は、前記筒状部材の回動に伴って、前記筒状部材の側面と前記連通孔とで連通の遮断及び連通を行うように構成されていることを特徴とする請求項３記載のスピーカー装置。
【請求項５】
請求項１〜４の何れか１項記載のスピーカー装置と、前記スピーカー装置と接続されるオーディオ再生装置とを備えてなるオーディオ再生システムであって、
前記スピーカー装置と前記オーディオ再生装置とを接続させた状態で前記オーディオ再生装置の電源ボタンをＯＮ操作することにより、前記カップ状部材を繰り出させると共に、該電源ボタンをＯＦＦ操作することにより該カップ状部材を引込ませる制御手段を備えてなることを特徴とするオーディオ再生システム。
【発明の詳細な説明】
【技術分野】
【０００１】
本発明は、スピーカー装置、再生システム及び出力特性向上方法に関する。
【背景技術】
【０００２】
従来、低域再生限界を伸ばすことで良好な低音再生ができる、とした小型軽量のスピーカー装置が提案されている。
このスピーカー装置は、スピーカーボックスの前面のバッフル板に取り付けられたスピーカーと、このスピーカーボックスの内部後面のこのスピーカーに対応する位置に設けた気密室と、この気密室のこのスピーカー側に配設され、このスピーカーの音放射方向と逆方向の反作用力を駆動力として、この音放射方向と逆方向に作用力を発生する可動体を介して設けた振動体と、このスピーカーに形成した気密空間とを設け、この気密室とこの気密空間とを軟質パイプで連結したものである（例えば特許文献１参照）。
【特許文献１】特開２０００−４１２９２号公報（第１頁、図１）
【発明の開示】
【発明が解決しようとする課題】
【０００３】
ところで、MDプレーヤーやHDDプレーヤー、フラッシュメモリプレーヤー等の携帯性に優れた小型の音楽再生装置は、イヤホンやヘッドホンを用いることを前提としているため、通常、プレーヤー本体にスピーカー装置は組み込まれていない。
【０００４】
しかしながら、イヤホンやヘッドホンを用いることなく音楽等を聞きたい場合も想定できるため、昨今、かかるプレーヤー本体に接続できるスピーカー装置が提供されている。
【０００５】
このスピーカー装置は、持ち運びが容易な携帯性を優先しているため、スピーカーの奥行き幅とスピーカーボックスの奥行き幅とが、ほとんど同じような薄型な小型軽量タイプであり、そのため、当然のことながら、低域音声の出力特性は満足できるものではなかった。
【０００６】
仮に、先行のスピーカー装置を適用するとしても、所要の形状に固定化されたスピーカーボックス内に振動体を設ける構成であるため、上記したような極端に薄く小型軽量タイプのスピーカー装置には、スペース的に組み込むことは不可能である。
【０００７】
そこで本発明は、このような状況に鑑みてなされたものであり、上記問題点を解決できるスピーカー装置、再生システム及び出力特性向上方法を提供することを目的とする。
【課題を解決するための手段】
【０００８】
上記技術課題を達成するために、本発明にかかるスピーカー装置、再生システム及び出
力特性向上方法は、下記の技術的手段を講じた。
すなわち、請求項１にかかるスピーカー装置は、スピーカーが取り付けられたスピーカーボックスに、該スピーカーボックスの一部を変形自在にさせて該スピーカーボックスの容積を可変させる容積可変手段が設けられており、前記スピーカーボックスは、前記スピーカーを収納可能な薄板状に形成されていると共に、前記容積可変手段は、前記スピーカーボックスの背面から出没可能に係合され、底面を外側に配置させたカップ状部材と、前記カップ状部材を前記スピーカーボックスの背面から出没させるモーター駆動機構とを備えてなることを特徴とする。
請求項２にかかるスピーカー装置は、前記カップ状部材は、前記スピーカーボックスに対して回動を抑止させるように取り付けられると共に該カップ状部材の外面に係止爪を備え、前記モーター駆動機構は、前記係止爪と係合される円筒溝カムが設けられ、前記スピーカーの背面側に設けられた筒状部材と、前記筒状部材を回動させるモータ部とを備えてなることを特徴とする。
請求項３にかかるスピーカー装置は、前記スピーカーボックスに、外部と連通するバスレフ孔が設けられ、前記容積可変手段は、前記スピーカーボックスの容積を最小にさせた状態時に前記バスレフ孔の連通を遮断させるシャッター機構を備えていることを特徴とする。
請求項３にかかるスピーカー装置は、前記バスレフ孔は、前記筒状部材の外面に接するように形成されると共に、該バスレフ孔の位置と対応するように前記筒状部材の側面に連通孔が設けられてなり、前記シャッター機構は、前記筒状部材の回動に伴って、前記筒状部材の側面と前記連通孔とで連通の遮断及び連通を行うように構成されていることを特徴とする。
請求項２にかかるスピーカー装置は、請求項１〜４の何れか１項記載のスピーカー装置と、前記スピーカー装置と接続されるオーディオ再生装置とを備えてなるオーディオ再生システムであって、前記スピーカー装置と前記オーディオ再生装置とを接続させた状態で前記オーディオ再生装置の電源ボタンをＯＮ操作することにより、前記カップ状部材を繰り出させると共に、該電源ボタンをＯＦＦ操作することにより該カップ状部材を引込ませる制御手段を備えてなることを特徴とする。
【発明の効果】
【０００９】
本発明によれば、スピーカーボックスの容積を容積可変手段で可変可能にしたことで、使用時（再生時）にスピーカーボックスの容積を大きくして、低域音声の出力特性を改善し、不使用時にはスピーカーボックスの容積を小さくすることで、持ち運びが容易な携帯性を確保することができる。
【発明を実施するための最良の形態】
【００１０】
次に、本発明を実施するための最良の形態を、図面を参照して具体的に説明する。
【００１１】
本発明にかかる実施の形態は、小型の音楽再生装置と、この音楽再生装置と接続可能な薄型で小型軽量のスピーカー装置とで構築されたオーディオ再生システムが例示されている。図中、符号Ａは音楽再生装置を、符号Ｂはスピーカー装置を示す。
【００１２】
本実施の形態にかかるオーディオ再生システムは、音楽再生装置Ａと、スピーカー装置Ｂとを備えてなる。
【００１３】
音楽再生装置Ａは、MDプレーヤーやHDDプレーヤー、フラッシュメモリプレーヤー等の携帯性に優れた小型の音楽再生装置Ａであり、再生装置の筐体表面に設けられたメインスイッチａ１をＯＮ／ＯＦＦ操作することにより、電気的に接続されたスピーカー装置Ｂのモータ部２４へ制御信号が送信されるようになっている。
【００１４】
スピーカー装置Ｂは、スピーカーボックス１と、スピーカーボックス１に設けられた容積可変手段２とを備えて構成されている。
【００１５】
スピーカーボックス１は、図１及び図２に示すように、前面に左右一対のスピーカー３が固定された正面視略矩形状の薄板状に形成されており、スピーカー３の背面側にスピーカー３の口径より一回り大きい所要径からなる孔部１ａが形成されている。
【００１６】
さらに、図２に示すように、この孔部１ａとスピーカーボックス１の上面に亘って連通されたバスレフ孔１ｂが形成されている。なお、これらの孔部１ａとバスレフ孔１ｂは、左右一対の夫々のスピーカー３背面に形成されている。
【００１７】
容積可変手段２は、カップ状部材２１と、モーター駆動機構２２と、廻止ピン２５を備え、スピーカー３の後方に形成された孔部１ａに内装されている。
【００１８】
カップ状部材２１は、図３に示すように、底有りの円筒容器状に形成されており、底部と反対側である開口部側の外縁部に、外側に向かって突出した一対の係止爪２１ａが対向するように設けられている。
【００１９】
また、この係止爪２１ａの配設位置におけるカップ状部材２１の内面は、内側に向かって半円凸状に隆起するように形成されたリブ２１ｂが、上下に向かって形成されると共に、そのリブ２１ｂに所要深さの廻止孔２１ｃが形成されている。
【００２０】
モーター駆動機構２２は、筒状部材２３と、モータ部２４とを備えてなる。
【００２１】
筒状部材２３は、図３に示すように、カップ状部材２１が遊嵌可能な内径を有した中空丸パイプ状に形成されると共に、基部２３ａが鍔状に張り出し形成されている。さらに、筒状部材２３の周面中途部には、バスレフ孔１ｂと同じ径からなる連通孔２３ｂが形成され、また、筒状部材２３の周面には、係止爪２１ａと係合される二条の円筒溝カム２３ｃが上下方向傾斜状に形成されている。
【００２２】
モータ部２４は、図２に示すように、孔部１ａのスピーカー３取付側に形成された環状の収納凹部１ｃに内装されると共に、孔部１ａに遊挿させた筒状部材２３の鍔状の基部２３ａと係合されて、筒状部材２３を孔部１ａ内で回動可能に支持させている。
【００２３】
また、この筒状部材２３は、その外周面がバスレフ孔１ｂと接するように配置されていると共に、上記した連通孔２３ｂがバスレフ孔１ｂの位置と対応する位置関係でもって設けられている。
【００２４】
したがって、モータ部２４の駆動によって定位置で筒状部材２３を回動させることにより、筒状部材２３の側面と連通孔２３ｂとでバスレフ孔１ｂとの連通の遮断及び連通が行われるようになっている（シャッター機構）。
【００２５】
また、上記したカップ状部材２１の係止爪２１ａが、筒状部材２３に形成された円筒溝カム２３ｃに係合されて筒状部材２３にカップ状部材２１が遊挿されていると共に、スピーカーボックス１の孔部１ａの底面から立設された一対の廻止ピン２５が廻止孔２１ｃにスライド可能に挿入されている。
【００２６】
次に、以上のように構成された本実施の形態にかかるオーディオ再生システムの要部における一連の動作を説明する。
【００２７】
まず、音声信号と制御信号とを流すための専用ケーブルＣを介して、音楽再生装置Ａとスピーカー装置Ｂとを電気的に接続する。
【００２８】
次いで、音楽再生装置Ａのメインスイッチａ１をＯＮ操作することにより、電気的に接続したスピーカー装置Ｂのモータ部２４に向かって制御信号が送信される。
【００２９】
モータ部２４は、制御信号に基づいて所要角度回動を開始する。この回動に伴って孔部１ａ内の定位置で筒状部材２３が回動する。
【００３０】
この筒状部材２３が回動することで、円筒溝カム２３ｃに係合した係止爪２１ａが幅方向に移動して、スピーカーボックス１の背面からカップ状部材２１が突出する（図４参照）。なお、カップ状部材２１は、廻止孔２１ｃに廻止ピン２５が係合されていることで、筒状部材２３とカップ状部材２１の供回りを防止している。
【００３１】
これと同時に、筒状部材２３が回動することで、筒状部材２３の側面で塞がれていたバスレフ孔１ｂの入り口部に連通孔２３ｂが位置し、カップ状部材２１が後方へ移動することで、スピーカー３背面側の空間（気密室）と外部とがバスレフ孔１ｂを介して連通する。
【００３２】
このように、スピーカー装置Ｂは、音楽再生装置Ａのメインスイッチａ１と連係して、スピーカー３の後方に配設したカップ状部材２１が、スピーカーボックス１の背面からせり出し、スピーカーボックス１の容積が可変するようになっている。
【００３３】
したがって、スピーカー３の奥行き幅とスピーカーボックス１の奥行き幅とが、ほとんど同じような薄型な小型軽量タイプのスピーカー装置Ｂでも、使用時（再生時）に、スピーカーボックス１の容積を大きくして、低域音声の出力特性を改善することができる。
【００３４】
また、音楽再生装置Ａのメインスイッチａ１をＯＦＦ操作することにより、モータ部２４が逆回動して、カップ状部材２１が元の位置に戻ると共に、バスレフ孔１ｂの入り口部を筒状部材２３の側面で塞いで粉塵の侵入を防止する。
【００３５】
このように、不使用時にはスピーカーボックス１の容積を小さくすることで、持ち運びが容易な携帯性を確保することができる。
【００３６】
以上、具体的な実施の形態について説明したが、本発明は上記実施の形態に限定されず、発明の要旨を変更しない範囲で適宜変更して実施できることは言うまでもない。
【００３７】
例えば、本実施の形態では、小型の音楽再生装置Ａと接続可能な薄型で小型軽量のスピーカー装置Ｂを例示したが、所謂ＭＤ、ＣＤラジカセのようなスピーカーが内蔵された音楽再生装置や、据え置きタイプのスピーカー装置に適用できる。
【図面の簡単な説明】
【００３８】
【図１】本実施の形態にかかるオーディオ再生システムの概略を示した正面図である。
【図２】カップ状部材が収納した状態の図１におけるＹ−Ｙ線に沿える拡大縦断面図である。
【図３】カップ状部材と筒状部材の関係を示す斜視図である。
【図４】カップ状部材がせり出した状態の図１におけるＹ−Ｙ線に沿える拡大縦断面図である。
【符号の説明】
【００３９】
Ａ  音楽再生装置
ａ１  メインスイッチ
Ｂ  スピーカー装置
１  スピーカーボックス
１ａ  孔部
１ｂ  バスレフ孔
１ｃ  収納凹部
２  容積可変手段
２１  カップ状部材
２１ａ  係止爪
２１ｂ  リブ
２１ｃ  廻止孔
２２  モーター駆動機構
２３  筒状部材
２３ａ  基部
２３ｂ  連通孔
２３ｃ  円筒溝カム
２４  モータ部
２５  廻止ピン
３  スピーカー
Ｃ  専用ケーブル
【図１】
0004551315.tif 000002
【図２】
0004551315.tif 000003
【図３】
0004551315.tif 000004
【図４】
0004551315.tif 000005